(57)【要約】    【課題】      言語が異なる他国のコンテンツ情報を検索することができるコンテンツ検索装置及びコンテンツ検索方法を提供する。    【解決手段】  コンテンツ検索装置は、入力インターフェイス回路３に入力された検索対象情報を他言語の同義語に変換する言語変換回路７を備える。サーチエンジン４は検索対象情報と他言語の同義語とに一致するコンテンツ情報を検索する。検索されたコンテンツ情報のコンテンツ属性に応じて、映像デコーダは映像情報を再生し、音声デコーダは音声情報を再生する。  【選択図】      図１
2005173814.tif 000002
【特許請求の範囲】
【請求項１】
バイナリデータを記述定義言語に変換する変換手段と、
前記記述定義言語からコンテンツ情報を抽出する抽出手段と、
検索対象情報を入力する入力手段と、
前記検索対象情報を他言語の同義語に変換する言語変換手段と、
前記検索対象情報及び前記他言語の同義語に一致する前記コンテンツ情報を検索する検索手段と、
前記検索されたコンテンツ情報のコンテンツ属性に応じて前記コンテンツ情報を再生する再生手段と
を備えたことを特徴とするコンテンツ検索装置。
【請求項２】
前記検索対象情報の変換言語をアナログ放送の放送方式から抽出する変換言語抽出手段を更に備えたことを特徴とする請求項１記載のコンテンツ検索装置。
【請求項３】
前記検索対象情報の変換言語をデジタルビデオディスクに格納されたリージョンコードから抽出する変換言語抽出手段を更に備えたことを特徴とする請求項１記載のコンテンツ検索装置。
【請求項４】
前記検索対象情報の変換言語をデジタルビデオディスクに格納されたリージョンコードとアナログ放送の放送方式とから抽出する変換言語抽出手段を更に備えたことを特徴とする請求項１記載のコンテンツ検索装置。
【請求項５】
バイナリデータを記述定義言語に変換する段階と、
前記記述定義言語からコンテンツ情報を抽出する段階と、
検索対象情報を入力する段階と、
前記検索対象情報を他言語の同義語に変換する段階と、
前記検索対象情報及び前記他言語の同義語に一致する前記コンテンツ情報を検索する段階と、
前記検索されたコンテンツ情報のコンテンツ属性に応じて前記コンテンツ情報を再生する段階と
を備えたことを特徴とするコンテンツ検索方法。
【請求項６】
前記検索対象情報の変換言語をアナログ放送の放送方式から抽出する段階を更に備えたことを特徴とする請求項５記載のコンテンツ検索方法。
【請求項７】
前記検索対象情報の変換言語をデジタルビデオディスクに格納されたリージョンコードから抽出する段階を更に備えたことを特徴とする請求項５記載のコンテンツ検索方法。
【請求項８】
前記検索対象情報の変換言語をデジタルビデオディスクに格納されたリージョンコードとアナログ放送の放送方式とから抽出する段階を更に備えたことを特徴とする請求項５記載のコンテンツ検索方法。
【発明の詳細な説明】
【技術分野】
【０００１】
本発明は、コンテンツ検索装置及びコンテンツ検索方法に関し、特に映像コンテンツ、音声コンテンツ等の検索に好適なコンテンツ検索装置及びコンテンツ検索方法に関する。
【背景技術】
【０００２】
従来より、映像コンテンツや音声コンテンツの検索にはコンテンツ検索装置が使用されている（例えば、特許文献１参照）。コンテンツ検索装置は、図３に示すように、バイナリデータ変換回路（ＢｉＭデコーダ）１１、コンテンツ情報抽出回路（ＤＤＬパーサ）１２、入力インターフェイス回路１３、サーチエンジン１４、映像デコーダ１５及び音声デコーダ１６を備えている。
【０００３】
コンテンツ検索装置は以下のように動作する。まず、コンテンツ記述情報を含むバイナリデータがバイナリデータ変換回路１１に入力される。バイナリデータ変換回路１１は入力されたバイナリデータを記述定義言語（ＤＤＬ）に変換する。コンテンツ情報抽出回路１２は、バイナリデータ変換回路１１により変換された記述定義言語の内容を解析し、コンテンツ情報を抽出する。
【０００４】
一方、入力インターフェイス回路１３には検索対象情報が入力される。サーチエンジン１４は、入力インターフェイス回路１３に入力された検索対象情報に一致するコンテンツ情報を検索する。そして、このサーチエンジン１４により検索されたコンテンツ情報のコンテンツ属性に応じて、映像デコーダ１５においては映像情報が再生され、音声デコーダ１６においては音声情報が再生される。
【特許文献１】特開２０００−２９８８１号公報
【発明の開示】
【発明が解決しようとする課題】
【０００５】
しかしながら、前述のコンテンツ検索装置においては、サーチエンジン１４を使用し、検索対象情報と完全一致か、部分一致のコンテンツ情報しか検索することができないので、言語が異なる他国のコンテンツ情報を検索することができないという問題があった。
【０００６】
本発明は、かかる点に鑑みなされたものであり、言語が異なる他国のコンテンツ情報を検索することができるコンテンツ検索装置及びコンテンツ検索方法を提供することを目的とする。
【課題を解決するための手段】
【０００７】
本発明のコンテンツ検索装置は、バイナリデータを記述定義言語に変換する変換手段と、前記記述定義言語からコンテンツ情報を抽出する抽出手段と、検索対象情報を入力する入力手段と、前記検索対象情報を他言語の同義語に変換する言語変換手段と、前記検索対象情報及び前記他言語の同義語に一致する前記コンテンツ情報を検索する検索手段と、前記検索されたコンテンツ情報のコンテンツ属性に応じてコンテンツ情報を再生する再生手段とを備えた構成を採る。
【０００８】
この構成によれば、入力手段に入力された検索対象情報からこの検索対象情報の他言語の同義語を言語変換手段により生成し、検索対象情報及び他言語の同義語に基づきコンテンツ情報を検索し、再生することができる。
【０００９】
本発明のコンテンツ検索装置は、前記検索対象情報の変換言語をデジタルビデオディスクに格納されたリージョンコード、アナログ放送の放送方式のいずれか一方又は双方から抽出する変換言語抽出手段を更に備えた構成を採る。
【００１０】
この構成によれば、デジタルビデオディスクのリージョンコード、アナログ放送の放送方式の少なくともいずれか一方から、コンテンツ情報の制作地域を抽出することにより、この地域の言語に簡易に変換することができる。
【００１１】
本発明のコンテンツ検索方法は、バイナリデータを記述定義言語に変換する段階と、前記記述定義言語からコンテンツ情報を抽出する段階と、検索対象情報を入力する段階と、前記検索対象情報を他言語の同義語に変換する段階と、前記検索対象情報及び前記他言語の同義語に一致する前記コンテンツ情報を検索する段階と、前記検索されたコンテンツ情報のコンテンツ属性に応じて前記コンテンツ情報を再生する段階とを備えた構成を採る。
【００１２】
この検索方法によれば、入力された検索対象情報からこの検索対象情報の他言語の同義語を生成し、検索対象情報及び他言語の同義語に基づきコンテンツ情報を検索し、再生することができる。
【００１３】
本発明のコンテンツ検索方法は、前記検索対象情報の変換言語をデジタルビデオディスクに格納されたリージョンコード、アナログ放送の放送方式のいずれか一方又は双方から抽出する段階を更に備えた構成を採る。
【００１４】
この検索方法によれば、デジタルビデオディスクのリージョンコード、アナログ放送の放送方式の少なくともいずれか一方から、コンテンツ情報の制作地域を抽出し、この地域の言語に簡易に変換することができる。
【発明の効果】
【００１５】
以上説明したように、本発明によれば、言語が異なる他国のコンテンツ情報を検索することができるコンテンツ検索装置及びコンテンツ検索方法を提供することができる。
【発明を実施するための最良の形態】
【００１６】
本発明の骨子は、検索対象情報を他言語の同義語に変換し、検索対象情報及び他言語である同義語に一致するコンテンツ情報を検索することである。
【００１７】
以下、本発明の一実施の形態について図面を参照して詳細に説明する。
【００１８】
図１に示すように、本発明の実施の形態に係るコンテンツ検索装置は、バイナリデータを記述定義言語に変換するバイナリデータ変換回路（ＢｉＭデコーダ）１と、記述定義言語からコンテンツ情報を抽出するコンテンツ情報抽出回路（ＤＤＬパーサ）２と、検索対象情報を入力する入力インターフェイス回路３と、検索対象情報を他言語の同義語に変換する言語変換回路７と、検索対象情報及びその他言語である同義語に一致するコンテンツ情報を検出するサーチエンジン４と、コンテンツ情報のコンテンツ属性に応じて映像情報を再生する映像デコーダ５と、コンテンツ情報のコンテンツ属性に応じて音声情報を再生する音声デコーダ６とを備えている。
【００１９】
更に、コンテンツ検索装置は、検索対象情報の変換言語をデジタルビデオディスク（Digital Video Disc又はDigital Versatile Disc）に格納されたリージョンコード、アナログ放送の放送方式の一方又は双方から抽出する変換言語抽出回路８を備えている。
【００２０】
言語変換回路７には入力インターフェイス回路３に入力された検索対象情報が入力され、言語変換回路７はこの検索対象情報を同じ意味で他言語の同義語に変換する。具体的には、検索対象情報として日本語の「サッカー」が入力された場合、英語で同義語の「soccer」、中国語で同義語の「足球」、ドイツ語で同義語の「fussball」等、入力された日本語以外（入力された検索対象情報以外）の少なくとも１カ国以上の同義語を生成することができる。
【００２１】
変換言語抽出回路８に入力される放送方式には、例えば米国放送方式（NTSC:National Television System Committee）、西ヨーロッパ放送方式（PAL:Phase Alternating by Line）、フランスや東ヨーロッパ放送方式（SECAM:SEquential Couleur A Memoire）等がある。変換言語抽出回路８は、リージョンコードや放送方式の映像情報に含まれる制作地域（制作国）の言語を絞り込み、検索対象情報を同じ意味で制作地域の言語と同義語に自動的に変換する。具体的には、変換言語抽出回路８に入力される映像情報が米国放送方式であれば、変換言語抽出回路８は制作地域を「米国」と抽出し、変換言語を「英語」と抽出し、そして「英語」に言語変換する指令を言語変換回路７に出力する。言語変換回路７においては、検索対象情報が「日本語」の場合、それと同じ意味で同義語の「英語」に検索対象情報を変換する。
【００２２】
次に、前述の構成を有するコンテンツ検索装置の動作について、図２に示すフローチャートを用いて説明する。
【００２３】
まず最初に、コンテンツ記述情報を含むバイナリデータがバイナリデータ変換回路１に入力される（Ｓ１）。バイナリデータ変換回路１においては、入力されたバイナリデータが記述定義言語に変換される（Ｓ２）。変換された記述定義言語はコンテンツ情報抽出回路２に入力され、コンテンツ情報抽出回路２においては記述定義言語からコンテンツ情報を抽出する（Ｓ３）。
【００２４】
一方、入力インターフェイス回路３には検索対象情報が入力される（Ｓ４）。ここでは、前例のように、例えば検索対象情報として日本語の「サッカー」が入力される。この検索対象情報は言語変換回路７に入力され、言語変換回路７は、検索対象情報「サッカー」に基づき、他言語の同義語の「soccer」、「足球」、「fussball」等、必要に応じて数カ国語の同義語に変換する（Ｓ５）。
【００２５】
ここで、現在、観戦中のアナログ放送や鑑賞中のデジタルビデオディスクからの映像情報や音声情報と同一言語において、検索対象情報を検索したい場合、変換言語抽出回路８に映像情報を入力する（Ｓ６）。変換言語抽出回路８においては、アナログ放送による映像情報が入力される場合その放送方式を、デジタルビデオディスクの映像情報が入力される場合そのリージョンコードを抽出し、この抽出された情報から変換言語を自動的に絞り出し抽出する（Ｓ７）。そして、この抽出された変換言語を言語変換回路７に入力すれば、言語変換回路７においては、検索対象情報を抽出された言語の同義語に変換することができる（Ｓ５）。
【００２６】
入力インターフェイス回路３に入力された検索対象情報「サッカー」と、言語変換回路７により生成された他言語の同義語「soccer」、「足球」、「fussball」等とに基づき、サーチエンジン４はこれらに一致するコンテンツ情報を検索する（Ｓ８）。
【００２７】
そして、サーチエンジン４により検索されたコンテンツ情報のコンテンツ属性に応じて、映像デコーダ５により映像情報を再生し、又音声デコーダ６により音声情報を再生する（Ｓ９）。
【００２８】
このように、本実施の形態によれば、インターフェイス回路３に入力された検索対象情報からこの検索対象情報の他言語の同義語を言語変換回路７により生成し、検索対象情報及び他言語の同義語に基づきコンテンツ情報を検索することができる。検索対象情報だけではなく、他言語の同義語に基づきコンテンツ情報を検索しているので、言語が異なる他国の関連コンテンツ情報も数多く検索することができる。更に、映像情報に含まれる制作地域の情報に基づき変換言語を抽出するようにすれば、検索対象情報を制作地域の言語に簡易に変換することができる。
【産業上の利用可能性】
【００２９】
本発明に係るコンテンツ検索装置及びコンテンツ検索方法は、言語が異なる他国のコンテンツ情報を検索することができるという効果を有し、マルチメディアコンテンツ情報を検索するコンテンツ検索装置及びコンテンツ検索方法に有効である。
【図面の簡単な説明】
【００３０】
【図１】本発明の一実施の形態に係るコンテンツ検索装置のブロック図
【図２】図１に示すコンテンツ検索装置の動作を説明するフローチャート
【図３】従来のコンテンツ検索装置のブロック図
【符号の説明】
【００３１】
１  バイナリデータ変換回路
２  コンテンツ情報抽出回路
３  入力インターフェイス回路
４  サーチエンジン
５  映像デコーダ
６  音声デコーダ
７  言語変換回路
８  変換言語抽出回路
【図１】
2005173814.tif 000003
【図２】
2005173814.tif 000004
【図３】
2005173814.tif 000005